(57)【要約】【課題】１つのハウジングで基板の表面における嵌合方向を異ならせることができ、ハウジングを大型化することなく、ハウジングに対する端子の組付数を増加することができる基板用コネクタを提供する。【解決手段】基板３の表面に配置されるハウジング５と、ハウジング５に組付けられ一端側にハウジング５内に収容される端子接続部７が設けられ他端側にハウジング５から露出し基板３に接続される基板接続部９が設けられた複数の端子１１とを備えた基板用コネクタ１において、複数の端子１１を、ハウジング５に多段に配列して組付け、隣り合う段に位置する端子１１，１１を、配列方向の位置を異ならせて千鳥状に配列し、基板接続部９が、ハウジング５から露出する端部から第１屈曲部１３を介してハウジング５側に向けて屈曲された垂直接続部１５と、垂直接続部１５の端部から第２屈曲部１７を介してハウジング５側に向けて屈曲された水平接続部１９とを有した。【選択図】図６
2018041533.tif 000002
【特許請求の範囲】
【請求項１】
基板の表面に配置されるハウジングと、このハウジングに組付けられ一端側に前記ハウジング内に収容される端子接続部が設けられ他端側に前記ハウジングから露出し前記基板に接続される基板接続部が設けられた複数の端子とを備えた基板用コネクタであって、
前記複数の端子は、前記ハウジングに多段に配列されて組付けられ、
隣り合う段に位置する前記端子は、配列方向の位置を異ならせて千鳥状に配列され、
前記基板接続部は、前記ハウジングから露出する端部から第１屈曲部を介して前記ハウジング側に向けて屈曲された垂直接続部と、この垂直接続部の端部から第２屈曲部を介して前記ハウジング側に向けて屈曲された水平接続部とを有することを特徴とする基板用コネクタ。
【請求項２】
請求項１記載の基板用コネクタであって、
前記ハウジングの両側面には、前記基板に固定されて前記ハウジングを前記基板に固定させる一対の固定部材が組付けられ、
前記基板接続部は、前記一対の固定部材間で前記ハウジングの側面からの投影面における前記固定部材の範囲内に配置されていることを特徴とする基板用コネクタ。
【発明の詳細な説明】
【技術分野】
【０００１】
本発明は、基板用コネクタに関する。詳細には、基板の表面に配置されるハウジングと、ハウジングに組付けられ基板に接続される複数の端子とを有する基板用コネクタに関する。
【背景技術】
【０００２】
従来、基板用コネクタとしては、基板の表面に配置されるハウジングと、このハウジングに組付けられ一端側にハウジング内に収容される端子接続部としてのコンタクト脚片が設けられ他端側にハウジングから露出し基板に接続される基板接続部としての第１のはんだ付け接続脚片と第２のはんだ付け接続脚片が設けられた複数の端子とを備えたものが知られている（例えば、特許文献１参照）。
【０００３】
この基板用コネクタでは、複数の端子が、ハウジングに１段で配列されて組付けられ、第１のはんだ付け接続脚片が、ハウジングの第１の外面に沿って延在され、第２のはんだ付け接続脚片が、ハウジングの第２の外面に沿って延在されている。
【０００４】
このような基板用コネクタでは、第１のはんだ付け接続脚片と第２のはんだ付け接続脚片とのいずれか一方を基板にはんだ付けすることにより、基板の表面におけるハウジングの配置姿勢を異ならせることができ、ハウジングに嵌合される相手ハウジングの嵌合方向を１つのハウジングで異ならせることができる。
【先行技術文献】
【特許文献】
【０００５】
【特許文献１】特開２００５−２４３６３３号公報
【発明の概要】
【発明が解決しようとする課題】
【０００６】
しかしながら、上記特許文献１のような基板用コネクタでは、複数の端子が１段で配列されているので、ハウジングに対する端子の組付数に限りがあり、それ以上の端子をハウジングに組付けるにはハウジングを大型化する必要があった。
【０００７】
そこで、この発明は、１つのハウジングで基板の表面における嵌合方向を異ならせることができ、ハウジングを大型化することなく、ハウジングに対する端子の組付数を増加することができる基板用コネクタの提供を目的としている。
【課題を解決するための手段】
【０００８】
請求項１記載の発明は、基板の表面に配置されるハウジングと、このハウジングに組付けられ一端側に前記ハウジング内に収容される端子接続部が設けられ他端側に前記ハウジングから露出し前記基板に接続される基板接続部が設けられた複数の端子とを備えた基板用コネクタであって、前記複数の端子は、前記ハウジングに多段に配列されて組付けられ、隣り合う段に位置する前記端子は、配列方向の位置を異ならせて千鳥状に配列され、前記基板接続部は、前記ハウジングから露出する端部から第１屈曲部を介して前記ハウジング側に向けて屈曲された垂直接続部と、この垂直接続部の端部から第２屈曲部を介して前記ハウジング側に向けて屈曲された水平接続部とを有することを特徴とする。
【０００９】
この基板用コネクタでは、複数の端子が、ハウジングに多段に配列されて組付けられ、隣り合う段に位置する端子が、配列方向の位置を異ならせて千鳥状に配列されているので、ハウジングの限られた範囲内で、ハウジングを大型化することなく、ハウジングに対する端子の組付数を増加することができる。
【００１０】
また、基板接続部は、ハウジングから露出する端部から第１屈曲部を介してハウジング側に向けて屈曲された垂直接続部と、この垂直接続部の端部から第２屈曲部を介してハウジング側に向けて屈曲された水平接続部とを有するので、垂直接続部と水平接続部とのいずれか一方を基板に接続することにより、１つのハウジングで基板の表面における嵌合方向を異ならせることができる。
【００１１】
従って、このような基板用コネクタでは、１つのハウジングで基板の表面における嵌合方向を異ならせることができ、ハウジングを大型化することなく、ハウジングに対する端子の組付数を増加することができる。
【００１２】
請求項２記載の発明は、請求項１記載の基板用コネクタであって、前記ハウジングの両側面には、前記基板に固定されて前記ハウジングを前記基板に固定させる一対の固定部材が組付けられ、前記基板接続部は、前記一対の固定部材間で前記ハウジングの側面からの投影面における前記固定部材の範囲内に配置されていることを特徴とする。
【００１３】
この基板用コネクタでは、基板接続部が、一対の固定部材間でハウジングの側面からの投影面における固定部材の範囲内に配置されているので、ハウジングを基板に配置させる前の状態で、基板接続部が一対の固定部材から張り出すことがなく、搬送時などにおける基板接続部の変形を防止することができる。
【発明の効果】
【００１４】
本発明によれば、１つのハウジングで基板の表面における嵌合方向を異ならせることができ、ハウジングを大型化することなく、ハウジングに対する端子の組付数を増加することができる基板用コネクタを提供することができるという効果を奏する。
【図面の簡単な説明】
【００１５】
【図１】本発明の実施の形態に係る基板用コネクタの分解斜視図である。
【図２】本発明の実施の形態に係る基板用コネクタの固定部材を組付けるときの斜視図である。
【図３】本発明の実施の形態に係る基板用コネクタの斜視図である。
【図４】本発明の実施の形態に係る基板用コネクタの斜視図である。
【図５】本発明の実施の形態に係る基板用コネクタの斜視図である。
【図６】本発明の実施の形態に係る基板用コネクタを基板に水平に配置したときの断面図である。
【図７】本発明の実施の形態に係る基板用コネクタを基板に垂直に配置したときの断面図である。
【図８】本発明の実施の形態に係る基板用コネクタの側面図である。
【図９】本発明の実施の形態に係る基板用コネクタの側面図である。
【図１０】本発明の実施の形態に係る基板用コネクタの背面図である。
【発明を実施するための形態】
【００１６】
図１〜図１０を用いて本発明の実施の形態に係る基板用コネクタについて説明する。
【００１７】
本実施の形態に係る基板用コネクタ１は、基板３の表面に配置されるハウジング５と、このハウジング５に組付けられ一端側にハウジング５内に収容される端子接続部７が設けられ他端側にハウジング５から露出し基板３に接続される基板接続部９が設けられた複数の端子１１とを備えている。
【００１８】
また、複数の端子１１は、ハウジング５に多段に配列されて組付けられ、隣り合う段に位置する端子１１，１１は、配列方向の位置を異ならせて千鳥状に配列されている。
【００１９】
そして、基板接続部９は、ハウジング５から露出する端部から第１屈曲部１３を介してハウジング５側に向けて屈曲された垂直接続部１５と、この垂直接続部１５の端部から第２屈曲部１７を介してハウジング５側に向けて屈曲された水平接続部１９とを有する。
【００２０】
また、ハウジング５の両側面には、基板３に固定されてハウジング５を基板３に固定させる一対の固定部材２１，２１が組付けられている。
【００２１】
そして、基板接続部９は、一対の固定部材２１，２１間でハウジング５の側面からの投影面における固定部材２１の範囲内に配置されている。
【００２２】
図１〜図１０に示すように、ハウジング５は、合成樹脂などの絶縁性材料からなり、筐体状に形成され、一端側が開口され内部に相手ハウジング３３が嵌合される嵌合部２３が設けられている。
【００２３】
このハウジング５は、電子部品（不図示）などが表面に実装された回路基板である基板３の表面に配置される。
【００２４】
このようなハウジング５の嵌合部２３内には、ハウジング５の他端側に設けられた端子固定部２５から挿入される端子１１の端子接続部７が配置される。
【００２５】
端子１１は、導電性材料からなり、一端側に端子接続部７が設けられ、他端側に基板接続部９が設けられ、複数の端子１１がハウジング５に組付けられる。
【００２６】
端子接続部７は、端子１１の一端側にタブ状に形成され、ハウジング５の端子固定部２５から嵌合部２３内に挿入され、端子固定部２５に圧入されることによって嵌合部２３内に収容配置される。
【００２７】
この端子接続部７は、ハウジング５の嵌合部２３に相手ハウジング３３が嵌合することにより、相手ハウジング３３内に収容された電源や機器などに接続された相手端子（不図示）の接続部が接続され、端子１１と相手端子とが電気的に接続される。
【００２８】
基板接続部９は、端子１１の他端側に設けられ、端子固定部２５に圧入された状態で、ハウジング５から露出し、垂直接続部１５と、水平接続部１９とを有する。
【００２９】
垂直接続部１５は、ハウジング５の端子固定部２５から露出する端部から第１屈曲部１３を介してハウジング５側に向けて屈曲され、ハウジング５の側面に沿って延設された部分となっている。
【００３０】
なお、垂直接続部１５は、基板３に対するはんだ濡れ上がりを向上させるために、ハウジング５の側面に対して平行ではなく、僅かに傾斜されて延設されている。
【００３１】
この垂直接続部１５は、ハウジング５の嵌合部２３の開口を上方に向けた状態で、ハウジング５が基板３の表面に配置されることにより、基板３の回路を形成する導体部に対してはんだ付けされ、端子１１と基板３とを電気的に接続する。
【００３２】
このように垂直接続部１５で基板３に接続した状態では、ハウジング５の嵌合部２３に対して基板３と直交する方向から相手ハウジング３３が嵌合される。
【００３３】
水平接続部１９は、垂直接続部１５の第１屈曲部１３と反対側の端部から第２屈曲部１７を介してハウジング５側に向けて屈曲され、ハウジング５の側面に沿って延設された部分となっている。
【００３４】
なお、水平接続部１９は、垂直接続部１５と同様に、基板３に対するはんだ濡れ上がりを向上させるために、ハウジング５の側面に対して平行ではなく、僅かに傾斜されて延設されている。
【００３５】
この水平接続部１９は、ハウジング５の嵌合部２３の開口を側方に向けた状態で、ハウジング５が基板３の表面に配置されることにより、基板３の回路を形成する導体部に対してはんだ付けされ、端子１１と基板３とを電気的に接続する。
【００３６】
このように水平接続部１９で基板３に接続した状態では、ハウジング５の嵌合部２３に対して基板３と平行な方向から相手ハウジング３３が嵌合される。
【００３７】
このように基板接続部９において、垂直接続部１５と水平接続部１９とのいずれか一方を基板３に接続することにより、基板３の表面におけるハウジング５の配置姿勢を異ならせることができ、ハウジング５の嵌合部２３に嵌合される相手ハウジング３３の嵌合方向を１つのハウジング５で異ならせることができる。
【００３８】
このような基板接続部９を有する複数の端子１１は、ハウジング５の幅方向に複数が配列されており、ハウジング５の高さ方向に多段（ここでは２段）となるように配列されている。
【００３９】
この多段に配列された複数の端子１１のうち隣り合う段に位置する端子１１，１１は、ハウジング５の幅方向である配列方向の位置を異ならせて千鳥状に配列されている。
【００４０】
このように隣り合う段に位置する端子１１，１１を配列方向の位置を異ならせて千鳥状に配列させることにより、限られたハウジング５の幅方向の範囲内で、ハウジング５の高さ方向のスペースを利用して、最大限の端子１１をハウジング５に組付けることができる。
【００４１】
ここで、ハウジング５の両側面には、基板３に固定されてハウジング５を基板３に固定させる一対の固定部材２１，２１が組付けられている。
【００４２】
一対の固定部材２１，２１は、金属などの剛性を有する剛性材料からなり、長方形の板状に形成され、ハウジング５の両側面にそれぞれ設けられた固定部材固定部２７に圧入されてハウジング５に固定され、垂直固定部２９と、水平固定部３１とを有する。
【００４３】
垂直固定部２９は、端子１１の垂直接続部１５が基板３に接続された状態で、基板３と対向する辺部分となっており、基板３にはんだ付けされることでハウジング５を基板３に固定する。
【００４４】
水平固定部３１は、端子１１の水平接続部１９が基板３に接続された状態で、基板３と対向する辺部分となっており、基板３にはんだ付けされることでハウジング５を基板３に固定する。
【００４５】
このように固定部材２１が垂直固定部２９と水平固定部３１とを有することにより、基板３に対するハウジング５の配置姿勢が垂直姿勢と水平姿勢とのいずれの姿勢であっても、ハウジング５を基板３に安定して固定することができる。
【００４６】
このような一対の固定部材２１，２１間には、複数の端子１１の基板接続部９が配置されており、ハウジング５の側面からハウジング５を見たときの投影面において、固定部材２１の範囲内に基板接続部９が配置するようにされている。
【００４７】
このように一対の固定部材２１，２１と基板接続部９とを配置することにより、ハウジング５の側面からハウジング５を見たときに、基板接続部９が固定部材２１の外周から張り出すことがなく、基板接続部９が一対の固定部材２１，２１によって保護された状態となる。
【００４８】
このため、ハウジング５を基板３に配置させる前の状態で、例えば、ハウジング５を搬送するためにハウジング５を梱包するときなどに、基板接続部９に外力が加わることを抑制でき、基板接続部９の変形を防止することができる。
【００４９】
このような基板用コネクタ１では、複数の端子１１が、ハウジング５に多段に配列されて組付けられ、隣り合う段に位置する端子１１，１１が、配列方向の位置を異ならせて千鳥状に配列されているので、ハウジング５の限られた範囲内で、ハウジング５を大型化することなく、ハウジング５に対する端子１１の組付数を増加することができる。
【００５０】
また、基板接続部９は、ハウジング５から露出する端部から第１屈曲部１３を介してハウジング５側に向けて屈曲された垂直接続部１５と、この垂直接続部１５の端部から第２屈曲部１７を介してハウジング５側に向けて屈曲された水平接続部１９とを有するので、垂直接続部１５と水平接続部１９とのいずれか一方を基板３に接続することにより、１つのハウジング５で基板３の表面における嵌合方向を異ならせることができる。
【００５１】
従って、このような基板用コネクタ１では、１つのハウジング５で基板３の表面における嵌合方向を異ならせることができ、ハウジング５を大型化することなく、ハウジング５に対する端子１１の組付数を増加することができる。
【００５２】
また、基板接続部９は、一対の固定部材２１，２１間でハウジング５の側面からの投影面における固定部材２１の範囲内に配置されているので、ハウジング５を基板３に配置させる前の状態で、基板接続部９が一対の固定部材２１，２１から張り出すことがなく、搬送時などにおける基板接続部９の変形を防止することができる。
【００５３】
なお、本発明の実施の形態に係る基板用コネクタでは、複数の端子がハウジングに対して２段に配列されているが、これに限らず、複数の端子をハウジングに対して３段以上に配列させてもよい。
【符号の説明】
【００５４】
１…基板用コネクタ
３…基板
５…ハウジング
７…端子接続部
９…基板接続部
１１…端子
１３…第１屈曲部
１５…垂直接続部
１７…第２屈曲部
１９…水平接続部
【図１】
2018041533.tif 000003
【図２】
2018041533.tif 000004
【図３】
2018041533.tif 000005
【図４】
2018041533.tif 000006
【図５】
2018041533.tif 000007
【図６】
2018041533.tif 000008
【図７】
2018041533.tif 000009
【図８】
2018041533.tif 000010
【図９】
2018041533.tif 000011
【図１０】
2018041533.tif 000012